【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
第１基地局の方法において、
第２基地局を追加するための第１メッセージを前記第２基地局に伝送する段階と、
前記第１メッセージに対する応答である第２メッセージを前記第２基地局から受信する段階と、
ユーザ装置（ｕｓｅｒ  ｅｑｕｉｐｍｅｎｔ；ＵＥ）のメンバーシップを検証するための第３メッセージを移動性管理エンティティー（ｍｏｂｉｌｉｔｙ  ｍａｎａｇｅｍｅｎｔ  ｅｎｔｉｔｙ；ＭＭＥ）に伝送する段階と、
前記メンバーシップ検証の結果を含む第４メッセージを前記ＭＭＥから受信する段階と、を含むことを特徴とする方法。
【請求項２】
前記第３メッセージは、前記ＵＥの閉鎖型加入者グループ（ｃｌｏｓｅｄ  ｓｕｂｓｃｒｉｂｅｒ  ｇｒｏｕｐ；ＣＳＧ）メンバー状態、ＣＳＧアイデンティティー、セルアクセスモード又は地上波公共移動通信ネットワーク（ｐｕｂｌｉｃ  ｌａｎｄ  ｍｏｂｉｌｅ  ｎｅｔｗｏｒｋ；ＰＬＭＮ）アイデンティティーのうち少なくとも一つを含み、
前記ＣＳＧメンバー状態、ＣＳＧアイデンティティー、セルアクセスモード又はＰＬＭＮアイデンティティーのうち少なくとも一つは、前記メンバーシップ検証に用いられ、
前記第２基地局は、開放型アクセスホーム基地局（ｈｏｍｅ  ｅｖｏｌｖｅｄ  ｎｏｄｅ  Ｂ；ＨｅＮＢ）又はハイブリッドアクセスＨｅＮＢのうち少なくとも一つを含むことを特徴とする、請求項１に記載の方法。
【請求項３】
前記第１メッセージを伝送する段階は、
前記ＵＥからＣＳＧメンバー状態又はＣＳＧアイデンティティーのうち少なくとも一つを受信する段階をさらに含み、
前記第１メッセージは、前記第２基地局がメンバーシップ情報を考慮するのに用いられる前記ＣＳＧメンバー状態を含むことを特徴とする、請求項１に記載の方法。
【請求項４】
前記第３メッセージを伝送する段階は、
前記ＵＥによって報告された多数のＰＬＭＮのＰＬＭＮアイデンティティーを確認する段階と、
前記多数のＰＬＭＮのうちＰＬＭＮアイデンティティーを選択する段階と、をさらに含むことを特徴とする、請求項１に記載の方法。
【請求項５】
移動性管理エンティティー（ｍｏｂｉｌｉｔｙ  ｍａｎａｇｅｍｅｎｔ  ｅｎｔｉｔｙ；ＭＭＥ）の方法において、
第２基地局を追加するため、ユーザ装置（ｕｓｅｒ  ｅｑｕｉｐｍｅｎｔ；ＵＥ）のメンバーシップ状態を検証するための第１メッセージを第１基地局から受信する段階と、
前記第１メッセージに含まれた情報を用いて前記ＵＥのメンバーシップ状態を検証する段階と、
前記検証の結果を含む第２メッセージを前記第１基地局に伝送する段階と、を含むことを特徴とする方法。
【請求項６】
前記第１メッセージは、前記ＵＥの閉鎖型加入者グループ（ｃｌｏｓｅｄ  ｓｕｂｓｃｒｉｂｅｒ  ｇｒｏｕｐ；ＣＳＧ）メンバー状態、ＣＳＧアイデンティティー、セルアクセスモード又は地上波公共移動通信ネットワーク（ｐｕｂｌｉｃ  ｌａｎｄ  ｍｏｂｉｌｅ  ｎｅｔｗｏｒｋ；ＰＬＭＮ）アイデンティティーのうち少なくとも一つを含み、
前記ＣＳＧメンバー状態、ＣＳＧアイデンティティー、セルアクセスモード又はＰＬＭＮアイデンティティーのうち少なくとも一つは、前記ＵＥのメンバーシップ状態を検証するのに用いられ、
前記ＣＳＧメンバー状態又は前記ＣＳＧアイデンティティーのうち少なくとも一つは、前記ＵＥから前記第１基地局に伝送され、
前記ＣＳＧメンバー状態は、前記第１基地局から前記第２基地局に伝送され、
前記第２基地局は、開放型アクセスホーム基地局（ｈｏｍｅ  ｅｖｏｌｖｅｄ  ｎｏｄｅ  Ｂ；ＨｅＮＢ）又はハイブリッドアクセスＨｅＮＢのうち少なくとも一つを含むことを特徴とする、請求項５に記載の方法。
【請求項７】
第２基地局の方法において、
第２基地局を追加するための第１メッセージを第１基地局から受信する段階と、
前記第１メッセージに対する応答である第２メッセージを前記第１基地局に伝送する段階と、
移動性管理エンティティー（ｍｏｂｉｌｉｔｙ  ｍａｎａｇｅｍｅｎｔ  ｅｎｔｉｔｙ；ＭＭＥ）によって実行されたメンバーシップ検証の結果を含む第３メッセージを、前記第１基地局から受信する段階と、を含むことを特徴とする方法。
【請求項８】
前記第１基地局から前記ＭＭＥに伝送されるＵＥの閉鎖型加入者グループ（ｃｌｏｓｅｄ  ｓｕｂｓｃｒｉｂｅｒ  ｇｒｏｕｐ；ＣＳＧ）メンバー状態、ＣＳＧアイデンティティー、セルアクセスモード又は地上波公共移動通信ネットワーク（ｐｕｂｌｉｃ  ｌａｎｄ  ｍｏｂｉｌｅ  ｎｅｔｗｏｒｋ；ＰＬＭＮ）アイデンティティーのうち少なくとも一つは、前記メンバーシップ検証に用いられ、
前記第２基地局は、開放型アクセスホーム基地局（ｈｏｍｅ  ｅｖｏｌｖｅｄ  ｎｏｄｅ  Ｂ；ＨｅＮＢ）又はハイブリッドアクセスＨｅＮＢのうち少なくとも一つを含み、
前記第１メッセージは前記ＣＳＧメンバー状態を含み、前記ＣＳＧメンバー状態はメンバーシップ情報を考慮するのに用いられることを特徴とする、請求項７に記載の方法。
【請求項９】
第１基地局において、
信号を送受信する送受信部と、
第２基地局を追加するための第１メッセージを前記第２基地局に伝送し、前記第１メッセージに対する応答である第２メッセージを前記第２基地局から受信し、ユーザ装置（ｕｓｅｒ  ｅｑｕｉｐｍｅｎｔ；ＵＥ）のメンバーシップを検証するための第３メッセージを移動性管理エンティティー（ｍｏｂｉｌｉｔｙ  ｍａｎａｇｅｍｅｎｔ  ｅｎｔｉｔｙ；ＭＭＥ）に伝送し、前記メンバーシップ検証の結果を含む第４メッセージを前記ＭＭＥから受信する制御部と、を含むことを特徴とする第１基地局。
【請求項１０】
前記第３メッセージは、前記ＵＥの閉鎖型加入者グループ（ｃｌｏｓｅｄ  ｓｕｂｓｃｒｉｂｅｒ  ｇｒｏｕｐ；ＣＳＧ）メンバー状態、ＣＳＧアイデンティティー、セルアクセスモード又は地上波公共移動通信ネットワーク（ｐｕｂｌｉｃ  ｌａｎｄ  ｍｏｂｉｌｅ  ｎｅｔｗｏｒｋ；ＰＬＭＮ）アイデンティティーのうち少なくとも一つを含み、
前記ＣＳＧメンバー状態、ＣＳＧアイデンティティー、セルアクセスモード又はＰＬＭＮアイデンティティーのうち少なくとも一つは、前記メンバーシップ検証に用いられ、
前記第２基地局は、開放型アクセスホーム基地局（ｈｏｍｅ  ｅｖｏｌｖｅｄ  ｎｏｄｅ  Ｂ；ＨｅＮＢ）又はハイブリッドアクセスＨｅＮＢのうち少なくとも一つを含むことを特徴とする、請求項９に記載の第１基地局。
【請求項１１】
前記制御部は、
前記ＵＥからＣＳＧメンバー状態又はＣＳＧアイデンティティーのうち少なくとも一つを受信し、前記ＵＥによって報告された多数のＰＬＭＮのＰＬＭＮアイデンティティーを確認し、前記多数のＰＬＭＮのうちＰＬＭＮアイデンティティーを選択するように制御し、
前記第１メッセージは、前記第２基地局がメンバーシップ情報を考慮するのに用いられる前記ＣＳＧメンバー状態を含むことを特徴とする、請求項９に記載の第１基地局。
【請求項１２】
移動性管理エンティティー（ｍｏｂｉｌｉｔｙ  ｍａｎａｇｅｍｅｎｔ  ｅｎｔｉｔｙ；ＭＭＥ）において、
信号を送受信する送受信部と、
第２基地局を追加するため、ユーザ装置（ｕｓｅｒ  ｅｑｕｉｐｍｅｎｔ；ＵＥ）のメンバーシップ状態を検証するための第１メッセージを第１基地局から受信し、前記第１メッセージに含まれた情報を用いて前記ＵＥのメンバーシップ状態を検証し、前記検証の結果を含む第２メッセージを前記第１基地局に伝送する制御部と、を含むことを特徴とするＭＭＥ。
【請求項１３】
前記第１メッセージは、前記ＵＥの閉鎖型加入者グループ（ｃｌｏｓｅｄ  ｓｕｂｓｃｒｉｂｅｒ  ｇｒｏｕｐ；ＣＳＧ）メンバー状態、ＣＳＧアイデンティティー、セルアクセスモード又は地上波公共移動通信ネットワーク（ｐｕｂｌｉｃ  ｌａｎｄ  ｍｏｂｉｌｅ  ｎｅｔｗｏｒｋ；ＰＬＭＮ）アイデンティティーのうち少なくとも一つを含み、
前記ＣＳＧメンバー状態、ＣＳＧアイデンティティー、セルアクセスモード又はＰＬＭＮアイデンティティーのうち少なくとも一つは、前記ＵＥのメンバーシップ状態を検証するのに用いられ、
前記ＣＳＧメンバー状態又は前記ＣＳＧアイデンティティーのうち少なくとも一つは、前記ＵＥから前記第１基地局に伝送され、
前記ＣＳＧメンバー状態は、前記第１基地局から前記第２基地局に伝送され、
前記第２基地局は、開放型アクセスホーム基地局（ｈｏｍｅ  ｅｖｏｌｖｅｄ  ｎｏｄｅ  Ｂ；ＨｅＮＢ）又はハイブリッドアクセスＨｅＮＢのうち少なくとも一つを含むことを特徴とする、請求項１２に記載のＭＭＥ。
【請求項１４】
第２基地局において、
信号を送受信する送受信部と、
第２基地局を追加するための第１メッセージを第１基地局から受信し、前記第１メッセージに対する応答である第２メッセージを前記第１基地局に伝送し、移動性管理エンティティー（ｍｏｂｉｌｉｔｙ  ｍａｎａｇｅｍｅｎｔ  ｅｎｔｉｔｙ；ＭＭＥ）によって実行されたメンバーシップ検証の結果を含む第３メッセージを前記第１基地局から受信する制御部と、を含むことを特徴とする第２基地局。
【請求項１５】
前記第１基地局から前記ＭＭＥに伝送されるＵＥの閉鎖型加入者グループ（ｃｌｏｓｅｄ  ｓｕｂｓｃｒｉｂｅｒ  ｇｒｏｕｐ；ＣＳＧ）メンバー状態、ＣＳＧアイデンティティー、セルアクセスモード又は地上波公共移動通信ネットワーク（ｐｕｂｌｉｃ  ｌａｎｄ  ｍｏｂｉｌｅ  ｎｅｔｗｏｒｋ；ＰＬＭＮ）アイデンティティーのうち少なくとも一つは、前記メンバーシップ検証に用いられ、
前記第２基地局は、開放型アクセスホーム基地局（ｈｏｍｅ  ｅｖｏｌｖｅｄ  ｎｏｄｅ  Ｂ；ＨｅＮＢ）又はハイブリッドアクセスＨｅＮＢのうち少なくとも一つを含み、
前記第１メッセージは前記ＣＳＧメンバー状態を含み、前記ＣＳＧメンバー状態はメンバーシップ情報を考慮するのに用いられることを特徴とする、請求項１４に記載の第２基地局。